(57)【要約】本発明は、食品を細片に裁断するための器具（１）に関し、この器具は、支え面（３）に隣接する少なくとも１つの裁断エレメント（２）であって、長さ方向に裁断しようとする食品をスライスするために設けられた縦裁断部材（１３）を形成する、少なくとも１つの垂直部材（１１）と、裁断された食品用の２つの流路（１２）を提供するように、長さ方向にスライスされた食品片を分割するために設けられた２つの横裁断部材（１４）を、垂直部材（１１）のいずれの側にも有する横壁（１０）とを含む、裁断エレメント（２）を備える。本発明によれば、垂直部材（１１）は前面ノッチ（１５）を有し、縦裁断部材（１３）は、横壁（１０）と前面ノッチ（１５）の間に並べられている。支え面（３）に剛直に連結されている、保持部材（４）は、前面ノッチ（１５）中に挿入することができる。本発明はまた、上記の食品を細片に裁断するための器具（１）を含む、食品を調理するためのアクセサリ、および食品を調理するための装置にも関する。
2014519417.tif 000002
【特許請求の範囲】
【請求項１】
裁断エレメント（２）に対して裁断される食品アイテムを動かすように設計された支持面（３）に隣接する、少なくとも１つの裁断エレメント（２）を備える、食品裁断用器具（１）であって、
裁断エレメント（２）は、支持面（３）に沿って延びる横壁（１０）を含み、
裁断エレメント（２）は、横壁（１０）から突出する少なくとも１つのマウント（１１）を含み、前記マウント（１１）は裁断される食品を分割するように設計された縦裁断ボディ（１３）を形成し、
横壁（１０）は、前記マウント（１１）の両側に、分割された食品の細片を取り外すように設計された２つの横裁断ボディ（１４）を含み、
前記マウント（１１）は、横壁（１０）と支持面（３）を備える、裁断された食品用の２つの通路（１２）を収容し、
マウント（１１）は前面ノッチ（１５）を有し、縦裁断ボディ（１３）は、横壁（１０）と前面ノッチ（１５）の間に位置し、かつ保持ボディ（４）は、前面ノッチ（１５）に係合され支持面（３）に取り付けられていることを特徴する食品裁断用器具（１）。
【請求項２】
保持ボディ（４）は、支持面（３）の少なくとも一部分を形成する支持エレメント（５）の一部であることを特徴とする請求項１に記載の食品裁断用器具。
【請求項３】
裁断エレメント（２）は、器具ボディ（６）に取り付けられていることを特徴とする請求項１または２に記載の食品裁断用器具。
【請求項４】
裁断エレメント（２）は、リベット（７）で器具ボディ（６）に取り付けられていることを特徴とする請求項３に記載の食品裁断用器具。
【請求項５】
保持ボディ（４）は、器具ボディ（６）に取り付けられていることを特徴とする請求項３または４に記載の食品裁断用器具。
【請求項６】
保持ボディ（４）は、リベット（８）で器具ボディ（６）に取り付けられていることを特徴とする請求項５に記載の食品裁断用器具。
【請求項７】
器具ボディ（６）は、支持面（３）の少なくとも一部を形成することを特徴とする請求項３から６のいずれか一項に記載の食品裁断用器具。
【請求項８】
器具ボディ（６）は、プラスチック製であることを特徴とする請求項３から７のいずれか一項に記載の食品裁断用器具。
【請求項９】
回転要素（１７）を含むことを特徴とする請求項１から８のいずれか一項に記載の食品裁断用器具。
【請求項１０】
回転エレメント（１７）が、器具ボディ（６）内部に位置していることを特徴とする請求項９および請求項３から８のいずれか一項に記載の食品裁断用器具。
【請求項１１】
回転エレメント（１７）を備える底部壁（２１）を包囲する円錐台または円筒壁（２０）を有し、裁断エレメント（２）は、円錐台または円筒壁（２０）の外側に位置していることを特徴とする請求項９または１０に記載の食品裁断用器具。
【請求項１２】
裁断エレメント（２）は、それぞれが前面ノッチ（１５）を有する、少なくとも２つのマウント（１１）を含み、保持ボディ（４）は、前面ノッチ（１５）と係合していることを特徴とする請求項１から１１のいずれか一項に記載の食品裁断用器具。
【請求項１３】
食品を細片に裁断するように設計された、食品調理アクセサリ（３０）であって、
支持面（３）に隣接する、裁断された食品用の少なくとも２つの通路（１２）を有する、少なくとも１つの裁断エレメント（２）を包含する、食品裁断用器具（１）を収容する、収納コンパートメント（３１）を含み、
前記収納コンパートメント（３１）は、支持面（３）につながる食品挿入開口（３２）と、裁断された食品用の通路（１２）に連結する、裁断食品出口（３５）とを有し、食品裁断用器具（１）は、請求項１から１２のいずれか一項に記載のものであることを特徴とする食品調理アクセサリ。
【請求項１４】
食品を細片に裁断するように設計された、食品調理装置（４０）であって、
支持面（３）に隣接する、裁断された食品用の少なくとも２つの通路（１２）を有する、少なくとも１つの裁断エレメント（２）を備える、食品裁断用器具（１）を収納する、収納コンパートメント（３１）を含み、
収納コンパートメント（３１）は、支持面（３）につながる食品挿入開口（３２）と、裁断された食品用の通路（１２）に連結する、裁断食品出口（３５）とを有し、
駆動機構を有するデバイスが、所望に応じて伝達機構を使用して、裁断エレメント（２）が食品挿入開口（３２）を掃引するように、食品裁断用器具（１）を移動させるように設計されており、食品裁断用器具（１）は、請求項１から１２のいずれか一項に記載のものであることを特徴とする食品調理装置。
【請求項１５】
収納コンパートメント（３１）は、モータケーシング（４１）上に着脱可能に装着され、前記駆動機構は、モータケーシング（４１）の一部であり、収納コンパートメント（３１）は、収納コンパートメント（３１）がモータケーシング（４１）に取り付けられるときに、前記駆動機構と協働する伝達機構を有し、前記伝達機構は、食品裁断用器具（１）を収納コンパートメント（３１）内に移動させるように設計されていることを特徴とする請求項１４に記載の食品調理装置。
【発明の詳細な説明】
【技術分野】
【０００１】
本発明は、食品を細片に裁断する技術の分野に関する。
【０００２】
本発明は、特に、フライドポテト用または千切り野菜（ｊｕｌｉｅｎｎｅｄ  ｖｅｇｅｔａｂｌｅｓ）用のスティックまたはスライスに食品を裁断することに関する。
【０００３】
本発明は、食品を細片に裁断するための器具（ｔｏｏｌｓ  ｆｏｒ  ｃｕｔｔｉｎｇ  ｆｏｏｄ  ｉｎｔｏ  ｐｉｅｃｅｓ（以下、食品裁断用器具））、食品を細片に裁断するように設計された、食品を調理するためのアクセサリ、および食品を細片に裁断するための食品調理装置に関する。
【発明の概要】
【発明が解決しようとする課題】
【０００４】
本発明の目的は、堅牢であるがコンパクトである前述のタイプの裁断用器具を提供することである。
【０００５】
本発明の別の目的は、堅牢であるがコンパクトである前述のタイプの裁断用器具を備える、食品調理アクセサリを提供することである。
【０００６】
本発明の別の目的は、堅牢であるがコンパクトである前述のタイプの裁断用器具を備える食品調理装置を提供することである。
【課題を解決するための手段】
【０００７】
これらの目的は、裁断エレメントに対して裁断される食品アイテムを動かす支持面に隣接する、少なくとも１つの裁断エレメントを備える、食品裁断用器具であって、裁断エレメントは、支持面に沿って延びる横壁を含み、裁断エレメントは、横壁から突出する少なくとも１つのマウントを含み、このマウントは裁断される食品を分割するように設計された縦裁断ボディを形成し、横壁は、マウントの両側に、分割された食品の細片を取り外すように設計された２つの横裁断ボディを含み、マウントは、横壁と支持面を備える、裁断された食品用の２つの通路を含み、マウントが前面ノッチを有することによって、縦裁断ボディは、横壁と前面ノッチの間に位置し、かつ保持ボディは、前面ノッチと係合する支持面に取り付けられている、食品裁断用器具によって達成される。これによって、支持面と横裁断ボディの間の距離をより良好に維持することができる。硬い食品アイテムが原因で裁断エレメントの変形および／または立ち上がりが発生するリスクが大幅に低減されるか、さらには解消される。
【０００８】
特に剛性があり、かつ／または鋭利である裁断エレメントを必要とすることなく、裁断された食品用の通路の形状が、より容易に保持される。
【０００９】
有利な一実施形態によれば、保持ボディが支持エレメントを部分的に形成し、この支持エレメントが、支持面の少なくとも一部分を構成する。
【００１０】
したがって、裁断中に、食品は、支持面に沿ってマウントまでスライドすることができる。これによって、前面ノッチと横壁との間のマウントの長さが減少し、それによってマウント剛性が増加する。代替形態では、特に、支持面と反対側の、食品裁断用器具の壁に、支持エレメントを装着することもできる。
【００１１】
有利な一実施形態によれば、裁断エレメントは、器具ボディに取り付けられる。代替形態では、裁断エレメントは、特に、器具ボディから延長させるか、または着脱可能に、器具ボディに装着することもできる。
【００１２】
そのときには、裁断エレメントを、リベットで器具ボディに取り付けることができる。代替形態では、器具ボディは、特に、裁断エレメント上に切削加工することもできる。
【００１３】
有利な一実施形態によれば、保持ボディは、器具ボディに取り付けられる。代替形態では、保持ボディは、特に、器具ボディから延長させるか、または相手裁断エレメントに取り付けられた器具ボディに、着脱可能に装着することもできる。
【００１４】
そのときには、保持ボディを、リベットで器具ボディに取り付けることができる。
【００１５】
代替形態においては、器具ボディを、特に、保持ボディ上に切削加工することもできる。
【００１６】
器具ボディは、有利には、支持面の少なくとも一部分を形成することもできる。これによって、裁断エレメントおよび／または保持ボディの大きさが減少することになる。
【００１７】
器具ボディは、有利には、プラスチック製とすることもできる。これによって、器具ボディの形状にきわだった柔軟性を与えることができる。
【００１８】
一つの完成形態によれば、食品裁断用器具は、回転エレメントを含む。そのときには、食品裁断用器具は、円筒状、円錐台の形状、またはディスクの形状とすることができる。代替形態では、食品裁断用器具には、電動スライサの一部として、並進駆動機構（ｔｒａｎｓｌａｔｉｏｎ  ｄｒｉｖｅ  ｍｅｃｈａｎｉｓｍ）を含めるか、またはスライサの一部として、駆動機構を無くしてもよい。
【００１９】
回転エレメントは、有利には、器具ボディの一部とすることもできる。これによって、食品裁断用器具の仕上がりが簡素になる。
【００２０】
食品裁断用器具は、有利には、回転エレメントを備える底部壁を包囲する、円錐台または円筒壁の形状とすることもできる。そのときには、裁断エレメントが、円錐台または円筒壁の外側に配置されることになる。この構成では、横裁断ボディは、湾曲した軌道を有して、裁断される食品対して引力を発揮する。そうすると、特に硬いか、または抵抗のある食品アイテムが、横裁断ボディを上昇させることもあり得る。マウント内に収納された前面ノッチと係合した保持ボディは、食品アイテムの上昇力をずらせる。裁断エレメントの剛性が増加する。そのときには、円錐台の形状または円筒形の、特に堅牢な裁断用器具を、設計することもできる。
【００２１】
裁断エレメントには、有利には、それぞれが前面ノッチを備える少なくとも２つのマウントを含めて、保持ボディを前面ノッチと係合させることも可能である。したがって、少なくとも２つのマウントに対して、同じ保持ボディを使用することも可能である。これによって裁断用器具の実装が簡素化し、同時にその強度を向上させることになる。
【００２２】
これらの目的は、食品を細片に裁断するように設計された、食品調理アクセサリであって、支持面に隣接する、裁断された食品用の少なくとも２つの通路を有する、少なくとも１つの裁断エレメントを備える、食品裁断用器具を収容する、収納コンパートメントを含み、収納コンパートメントは、支持面につながる食品挿入開口と、裁断された食品用の通路に連結する、裁断食品出口（ｃｕｔ  ｆｏｏｄ  ｅｘｉｔ）とを有し、食品裁断用器具は、上記の特徴の少なくとも１つを有する、食品調理アクセサリによっても達成することができる。
【００２３】
これらの目的は、食品を細片に裁断するように設計された、食品調理装置であって、支持面に隣接する、裁断された食品用の少なくとも２つの通路を備える、少なくとも１つの裁断エレメントを備える、食品裁断用器具を収納する、収納コンパートメントを含み、収納コンパートメントは、支持面につながる食品挿入開口と、裁断された食品用の通路に連結された、裁断食品出口とを有し、駆動機構を有するデバイスが、所望に応じて駆動機構を使用して、裁断エレメントが食品挿入開口を掃引するように、食品裁断用器具を移動させるように設計されており、食品裁断用器具は、上記の特徴の少なくとも一つを有する、食品調理装置によっても達成される。
【００２４】
有利な一実施形態によれば、収納コンパートメントは、モータケーシング上に着脱可能に装着され、駆動機構は、モータケーシングの一部であり、収納コンパートメントは、収納コンパートメントがモータケーシングに取り付けられるときに、駆動機構と協働する伝達機構を有し、伝達機構は、食品裁断用器具を収納コンパートメント内に設置することを可能にする。
【００２５】
本発明は、添付の図面に示されている、いかなる意味でも限定的ではない、実施形態の例を調べることによって、より良く理解されるであろう。
【図面の簡単な説明】
【００２６】
【図１】本発明による食品裁断用器具の実施形態の例の側面図である。
【図２】図１に示されている食品裁断用器具の分解側面図である。
【図３】図１および図２に示されている食品裁断用器具を包含する、食品調理アクセサリの実施形態の例の側面図である。
【図４】図３に示されている食品調理アクセサリを包含する、食品調理装置の実施形態の例の側面図である。
【発明を実施するための形態】
【００２７】
図１に示されている食品裁断用器具１は、円錐台の形状であり、回転されるように設計されている。しかしながら、本発明は、円錐台の形状の裁断用器具に限定はされず、固定された裁断用器具、前後に移動する裁断用器具、および回転し、かつ円筒状または円形である裁断用器具も範囲に含む。
【００２８】
図１に示されている食品裁断用器具１は、支持面３に隣接する少なくとも１つの裁断エレメント２を包含している。支持面３は、裁断される食品アイテムが、裁断エレメント２に対して移動することを可能にするように設計されている。保持ボディ４は、支持面３に取り付けられている。
【００２９】
裁断エレメント２は、支持面に沿って延びる横壁１０を含む。裁断エレメント２は、横壁１０から突出する少なくとも１つのマウント１１を含む。マウント１１は、横壁１０と支持面３を備える、裁断された食品用の２つの通路１２を包含する。このために、マウント１１は、裁断される食品を分割するように設計された縦裁断ボディ１３を形成し、横壁１０は、分割された食品の細片を取り外すように設計された、２つの横裁断ボディ１４を、マウント１１の両側に有する。
【００３０】
図１に示されている実施形態の例では、保持ボディ４が支持エレメント５の一部を形成し、この支持エレメント５が、支持面３の少なくとも一部分を形成する。裁断エレメント２は、器具ボディ６に取り付けられている。器具ボディ６は、支持面３の少なくとも一部分を形成する。器具ボディ６は有利にはプラスチック製である。
【００３１】
より具体的には、裁断エレメント２は、リベット７で器具ボディ６に取り付けられている。保持ボディ４は、器具ボディ６に取り付けられている。より具体的には、保持ボディ４は、リベット８で器具ボディ６に取り付けられている。
【００３２】
食品裁断用器具１は、器具ボディ６の一部である円錐台壁２０を含む。裁断エレメント２は、円錐台壁２０の外側に取り付けられている
【００３３】
図に示されている裁断エレメント２は、横壁１０の６つのマウント１１を含む。６つのマウント１１は、裁断された食品用の７つの通路１２を有する。横壁１０は、７つの横裁断ボディ１４を包含する。したがって、２つの隣接するマウント１１は、横裁断ボディ１４によって離隔されている。
【００３４】
図２においてよくわかるように、各マウント１１は、前面ノッチ１５を有する。支持面３に取り付けられた保持ボディ４は、各マウント１１の前面ノッチ１５と係合している。所望に応じて、前面ノッチ１５は、保持ボディ４を軽く締め付けるために使用してもよい。
【００３５】
したがって、裁断エレメント２は、それぞれが前面ノッチ１５と係合した保持ボディ４と有する、少なくとも２つのマウント１１を含む。
【００３６】
各マウント１１の縦裁断ボディ１３は、横壁１０とノッチ１５の間に位置している。図１に示されるように、保持ボディ４は、各マウント１１の前面ノッチ１５と係合している。横裁断ボディ１４によって生成される裁断幅は、縦裁断ボディ１３の裁断高さを超える。前面ノッチ１５は、特に、マウント１１と横壁１０の間の接続の水準（ｌｅｖｅｌ）において、横壁１０の変形を制限するように固定される。
【００３７】
図２に示されているように、食品裁断用器具１は、支持エレメント５に属する保持ボディ４とそれぞれ関連する、２つの裁断エレメント２を包含する。器具ボディ６は、円錐台壁２０に連結されている底部壁２１を有する。円錐台壁２０は、裁断食品出口開口２２を収容する。円錐台壁２０は、裁断された食品用の通路１２につながる開口２３を有する。円錐台壁２０、裁断エレメント２および支持エレメント５は、リベット７および８を設置するように設計された穿孔を有する。
【００３８】
食品裁断用器具１は、回転エレメント１７を包含する。図面において示されている仕上がりの例において、回転エレメント１７は、器具ボディ６内部、より具体的には底部壁２１内に含まれている。回転エレメント１７は、例えば、開口によって、底部壁２１内に中心のある星形によって形成することができる。
【００３９】
望まれる場合には、縦裁断ボディ１３は、食品裁断用器具１の回転の軸に垂直に延びて、平面運動を行ってもよい。横裁断ボディ１４は、食品裁断用器具１の回転軸のまわりを回転する。横裁断ボディ１４の運動は、円錐台または円筒形であり、横裁断ボディ１４は、食品裁断用器具１の回転の軸と比較して、必ずしもすべてが同じ角度を有するわけではない。
【００４０】
図３は、食品を細片に裁断するように設計された、食品調理アクセサリ３０を示している。
【００４１】
図４は、食品調理アクセサリ３０を備える、食品を細片に裁断するように設計された食品調理装置４０を示している。
【００４２】
食品調理アクセサリ３０は、支持面３に隣接する、裁断された食品用の少なくとも２つの通路１２を含む、少なくとも１つの裁断エレメント２を備える、食品裁断用器具１を収容する、収納コンパートメント３１を含む。
【００４３】
図３および図４に示されている収納コンパートメント３１は、好ましくは透明な材料で作られている。
【００４４】
図３に示されているように、収納コンパートメント３１は、流れ口（ｓｐｏｕｔ）３３によって形成された食品挿入開口３２を有する。流れ口３３は、押し込みエレメント３４を受け入れることができる。食品挿入開口３２は、支持面３につながっている。収納コンパートメント３１は、裁断食品出口３５を有する。裁断食品出口３５は、裁断された食品用の通路１２につながっている。
【００４５】
図４に示されているように、収納コンパートメント３１は、モータケーシング４１上に着脱可能に装着される。このために、収納コンパートメント３１とモータケーシング４１は、掛止機構（ｈｏｏｋｉｎｇ  ｍｅｃｈａｎｉｓｍｓ）３６および４２、例えば、バヨネット型取付具（ｂａｙｏｎｅｔ−ｔｙｐｅ  ｆｉｔｔｉｎｇｓ）を有する。モータケーシング４１は電気モータを包含しており、この電気モータは、命令機構に対して電気的に接続されるとともに、図に示されていない、食品調理アクセサリ３０の回転部分を駆動するように設計された駆動機構に対して機械的に接続されている。駆動機構は、モータケーシング４１の一部である。収納コンパートメント３１は、図面には示されていない伝達機構（ｔｒａｎｓｍｉｓｓｉｏｎ  ｍｅｃｈａｎｉｓｍｓ）を有しており、この伝達機構は、収納コンパートメント３１がモータケーシング４１に装着されたときに、駆動機構と協働する。この伝達機構は、回転エレメント１７を用いて、収納コンパートメント３１内部で食品裁断用器具１を駆動するように設計されている。食品調理アクセサリ３０の回転部分は、食品裁断用器具１と伝達機構とを包含する。
【００４６】
変形形態では、収納コンパートメント３１は、モータケーシング４１に一体化することもできる。そのときには、駆動機構が回転エレメント１７に直接的に作用することができるので、伝達機構は必要ではなくなる。
【００４７】
したがって、食品調製装置４０は、必要であれば、伝達機構を使用して、裁断エレメント２が食品挿入開口３２を掃引するように、食品裁断用器具１を移動させるように設計された、駆動機構を包含する。
【００４８】
食品調理装置４０、食品調理アクセサリ３０、および食品裁断用器具１は、以下のように動作するとともに、使用される。
【００４９】
ユーザが、ポテトなどの食品を流れ口３３に装入する。食品アイテムは、食品裁断用器具１の支持面３と接触してもよい。食品調理装置４０を始動させると、食品裁断用器具１が回転させられる。食品は、食品挿入開口３２によって横方向にブロックされている。縦裁断ボディ１３が、食品アイテムの下方部分を分割して、横裁断ボディ１４が、食品アイテムの残部の分割された部分を取り外す。前面ノッチ１５に挿入された保持ボディ４は、裁断エレメント２の変形を防止し、それによって食品裁断用器具１の使用寿命を増加させる。
【００５０】
変形形態では、保持ボディ４が、必ずしもすべての前面ノッチ１５と係合しているわけではない。必要であれば、いくつかの保持ボディ４を使用してもよい。
【００５１】
変形形態では、すべてのマウント１１が、必ずしも前面ノッチ１５を有しているわけではなく、少なくとも１つのマウント１１が、前面ノッチ１５を有していなければならない。
【００５２】
変形形態では、食品裁断用器具１は、円錐台の形状ではなく、円筒形であってもよい。そのときには、底部壁は、円筒壁に包囲される。
【００５３】
変形形態では、食品裁断用器具１は、必ずしも円錐台の形状または円筒状である必要はなく、例えば、ディスクの形状としてもよく、このディスク内を、横裁断ボディ１４が、食品裁断用器具１の回転の軸のまわりの面内を動く。
【００５４】
変形形態では、食品裁断用器具１は、必ずしも回転する必要はなく、例えば、電動スライサのように前後に交互して直線的に動いてもよい。
【００５５】
変形形態では、食品裁断用器具１は、必ずしも駆動される必要はなく、例えば、裁断エレメントに対して前後に動く、食品を保持する装置を含む、スライサ型装置の一部としてもよい。
【００５６】
本発明は、いかなる場合にも記載された実施形態の例、およびその変形形態に限定されるものではなく、特許請求の範囲の枠組みの中で多数の変形形態を包含する。
【図１】
2014519417.tif 000003
【図２】
2014519417.tif 000004
【図３】
2014519417.tif 000005
【図４】
2014519417.tif 000006
【国際調査報告】
2014519417.tif 000007
2014519417.tif 000008
2014519417.tif 000009
2014519417.tif 000010
2014519417.tif 000011
2014519417.tif 000012